(57)【要約】【課題】ランプケースにて密閉されたランプリフレクタの外壁面側と同ランプリフレクタの内壁面側に配置されるランプバルブを一つのブロアを用いて効率的に冷却することが可能なプロジェクタを提供する。【解決手段】ランプケース１５を、ランプリフレクタ収容部１６、排気ライン形成部１７、吸気ライン形成部１８にて形成するとともに、上記吸気ライン形成部１８に形成された第一の吸気口１８ｃと第二の吸気口１８ｅから吸気される冷却風を、ランプリフレクタ収容部１６、排気ライン形成部１７、吸気ライン形成部１８にて、ランプリフレクタ１５ｂの内壁面側と外壁面側にダクトからの冷却風が別々に送風されるよう分割した風路を形成する。【選択図】図５
2007256459.tif 000002
【特許請求の範囲】
【請求項１】
略円形の開口部を有する椀形状をなし、ランプバルブを上記開口部から内壁面にて形成された凹部に収容するとともに、同ランプバルブの配線ラインを上記凹部内壁面側から外壁面側へ貫通させて配置し、収容された同ランプバルブからの光を内壁面にて反射させて所定方向に集めるランプリフレクタと、
上記ランプリフレクタを密閉するとともに、同ランプリフレクタから投射される光源を光源投射窓から照射するランプケースと、
上記ランプケースから投射される光源を基に映像を投射する光学系と、
上記ランプケースに密閉されたランプリフレクタを冷却するための冷却風を送風するブロアとを筺体に収容するプロジェクタにおいて、
上記ランプケースは、板金で形成されて上記ランプリフレクタを収容するための凹部を有する形成をなし、上記凹部の開口部を下方として側部上方に同凹部に流入した冷却風を排出する第一の冷却風排気口を形成するランプリフレクタ収容部と、
板金で形成された第一の面の両端から略垂直に立設する両側壁とで溝状の排気ラインを形成し、上記排気ラインの一端に、同排気ラインに流れる冷却風を上記第一の面と略垂直に排気するための略方形の中空断面で形成された第二の排気口を備える排気ライン形成部と、
上記光源投射窓を所定厚みを有する略方形の着接面に略垂直に貫通させて形成するとともに、上記光源投射窓の近傍に上記ブロアからの冷却風を吸気するための樹脂製の第一の吸気口と、上記着接面から同着接面の側壁にかけて貫通する内部排気口とを貫通させて形成するとともに、同着接面の端部に上記ブロアからの冷却風を吸気する樹脂製の第二の吸気口とを貫通させて形成する吸気ライン形成部と、
板金を屈曲させて形成した吸気金具とを有し、
上記ランプリフレクタの開口部の下方に上記光源投射窓が配置されるよう上記ランプリフレクタの開口部の外周面と上記着接面とを着接して固定し、上記ランプリフレクタを上記ランプリフレクタ収容部の凹部に収容するよう固定する際、上記第一の吸気口から吸気された冷却風が上記ランプリフレクタの外壁面と上記ランプリフレクタ収容部の内壁面にて形成された空間にて上記ランプリフレクタの外壁面に沿うよう送風された後、上記第一の冷却風排気口から排出されるよう、上記着接面上の第二の吸気口と内部排気口とを上記ランプリフレクタの開口部内側に配置して固定し、上記吸気金具を、屈曲方向をランプリフレクタ側に向けて上記着接面上の第一の吸気口に固定し、上記着接面上の第一の吸気口を上記ランプリフレクタ収容部の開口部内に配置しつつ、上記着接面とランプリフレクタ収容部の開口部の外周面を着接して固定し、
上記第二の吸気口から吸気されて上記ランプリフレクタの内壁面と上記着接面とで形成された空間から上記内部排気口にて上記着接面の側壁側に排出される冷却風が、上記ランプリフレクタ収容部の外壁面と上記排気ライン形成部の排気ラインの溝とで形成した空間に排気されるとともに、同排気された冷却風が、上記第一の冷却風排気口から排気される冷却風と交わって上記第二の冷却風排気口から排気されるよう、上記排気ラインの溝にて、上記着接面の側壁に形成される内部排気口と上記第一の冷却風排気口を密閉するよう固定し、
上記ランプケースは、上記筺体の前部側方に上記光源投射窓を同筺体の幅方に向けて配置されるとともに、同筺体の側部下方に配置されるブロアから延設する樹脂製のダクトを上記第一の吸気口と第二の吸気口に接続することを特徴とするプロジェクタ。
【請求項２】
ランプケースにより密閉され、ランプバルブを内壁面側に収容するとともに、同ランプバルブからの光源を反射させて所定方向に投射するランプリフレクタと、同ランプリフレクタからの光源を基に映像を生成して投射する光学系と、上記ランプリフレクタを冷却するための送風手段とを有するプロジェクタにおいて、
上記ランプケースは、上記送風手段とダクトを用いて接続するとともに、上記ダクトを介して送風される冷却風をランプリフレクタの内壁面に送風する第一の送風路と、同ランプリフレクタの外壁面に送風する第二の送風路とを有することを特徴とするプロジェクタ。
【請求項３】
上記ランプケースは、上記第一の送風路から送風されて上記ランプリフレクタの内壁面側を冷却した冷却風を、上記第二の送風路から送風されて上記ランプリフレクタの外壁面側を冷却した冷却風と合流して排気することを特徴とする請求項２に記載のプロジェクタ。
【請求項４】
上記ランプケースは、上記第一の送風路に送風される冷却風を上記ランプリフレクタの外壁面に沿うよう送風するガイド部材を有することを特徴とする請求項２または請求項３のいずれかに記載のプロジェクタ。
【請求項５】
上記ランプケースは、
冷却風を送風するための排気ラインを形成する排気ライン形成部と、
上記ランプリフレクタを収容する凹部を有するとともに、同凹部に流入する冷却風を排出するための第一の排気口を有するランプケース収容部と、
上記ランプリフレクタの開口部を密閉するよう同ランプリフレクタと固定するとともに、上記送風手段からの冷却風を吸気する第一の吸気口と、第二の吸気口とを有する吸気ライン形成部とを有し、
上記吸気ライン形成部に固定されたランプリフレクタを上記ランプリフレクタ収容部に収容する際、上記第一の吸気口から吸入された冷却風が上記ランプリフレクタの外壁面とランプリフレクタ収容部の内壁面とで形成された空間を介して上記第一の冷却風排気口に排気される第一の送風ラインを形成し、
上記ランプリフレクタ収容部と排気ライン形成部とを固定することで、上記第二の吸気口から吸気された冷却風が、上記ランプリフレクタの内壁面側に送風されるとともに、上記排気口を介して上排気ラインに排気され、同排気された冷却風は上記排気ライン形成部を介して排気される第二の送風ラインを形成することを特徴とする請求項２〜請求項４のいずれかに記載のプロジェクタ。
【請求項６】
上記排気ライン形成部の上記第一の吸気口と第二の吸気口とは、絶縁物質にて形成されていることを特徴とする請求項５に記載のプロジェクタ。
【発明の詳細な説明】
【技術分野】
【０００１】
本発明は、ブロアを用いて筺体内を冷却するプロジェクタに関し、特に、ランプバルブを収容するランプリフレクタを冷却するプロジェクタに関する。 
【背景技術】
【０００２】
図６は従来のランプケースを示す図である。同図よりランプケース１は、ランプリフレクタ４を収容するランプリフレクタ収容部２と、ランプバルブ５からの光源を投射するための光源投射窓を有する光源投射部３とを有する形状である。ランプリフレクタ４は、ランプバルブ５を収容する凹部を有し、点灯したランプバルブの光を所定方向に投射するためのものである。ランプバルブは、８００度から１０００度程度の規定温度で点灯させて使用されるため、ランプリフレクタ4も同様に高温状態になる。プロジェクタを長時間使用すると、ランプバルブ５は１０００度以上の高温となり、ランプバルブ５の寿命の低下並びに、破損の恐れが生じる。このためランプバルブ５、並びにランプリフレクタ４をファン等から送風される冷却風で冷却する必要があった。このため、ランプケース１の側壁は冷却風が通過するための開口部６を有しており、上記冷却風にてランプリフレクタ４、およびランプバルブ５の冷却を行っていた。
【０００３】
しかしながら、ランプバルブ５が衝撃等により破損した場合、破損により飛び散ったガラスが上記した開口部６から飛び散り、飛び散ったガラス片等が回路に降りかかることで回路のショートを引き起こす恐れがあった。そのため、上記した問題を防止するためにランプケース１を密閉形状とし、衝撃等により破損したガラスの飛散防止に対処することとなった。ランプリフレクタ４の内壁面側はランプバルブ５の光を直接受けるため発熱温度が外壁面に比べて高くなる。このため、ランプケース１に冷却風を送風する方法では、冷却風はランプリフレクタ４の内壁面で暖められ、外壁面を効率よく暖めることが難しかった。さらには、ランプリフレクタ４の外壁面から出る電源供給用の配線を同様に冷却する場合は、上記理由により一層冷却効率が悪かった。
【０００４】
ランプリフレクタを冷却する方法として、直接冷却風を送風するブロアをランプリフレクタ近傍に配置して、ブロアから冷却風をランプリフレクタに直接送風する方法が開示されている（例えば、特許文献１参照。）。
【０００５】
ランプリフレクタの冷却方法として、送風装置とランプリフレクタとをダクトで繋ぎ、上記ダクトから送風される冷却風をランプバルブに送風する方法が開示されている（例えば、特許文献２参照。）。
【０００６】
また、他のランプリフレクタの冷却方法として、筺体の内壁面を用いてファンから送風される冷却風の送風路を形成し、上記送風路を用いて冷却風を発熱箇所に送風する方法が開示されている（例えば、特許文献３参照。）。
【特許文献１】特開２００４−２１９７５３
【特許文献２】特開２００４−２３４０２９
【特許文献３】特開平１１−１１９１８１
【発明の開示】
【発明が解決しようとする課題】
【０００７】
上述した特許文献１の発明は、次のような課題があった。つまり、ランプケースにて密閉されたランプリフレクタの場合、ブロアを用いて冷却風を送風しても、ランプリフレクタ内壁面側にて冷却風は暖められランプリフレクタの内壁面側を効率よく冷却することが難しかった。
【０００８】
また、特許文献２の発明は、次のような課題がった。つまり、特許文献２の発明はランプリフレクタがランプケースにて密閉されていない形状を対象としており、密閉されたランプリフレクタを冷却する場合ランプ、特許文献１と同様な理由から効率よく冷却することが難しかった。
【０００９】
また、特許文献３の発明は、次のような課題があった。つまり、上記した特許文献１と特許文献２と同様な理由とともに、内壁面を用いて送風路を形成しているため、筺体内に配置する構成品の配置が限定されることがあった。
【００１０】
本発明は、上記課題にかんがみてなされたもので、ランプケースにて密閉されたランプリフレクタの外壁面側と同ランプリフレクタの内壁面側に配置されるランプバルブを一つのブロアを用いて効率的に冷却することが可能なプロジェクタを提供することを目的とする。
【課題を解決するための手段】
【００１１】
上記課題を解決するために、本発明の請求項１にかかる発明では、略円形の開口部を有する椀形状をなし、ランプバルブを上記開口部から内壁面にて形成された凹部に収容するとともに、同ランプバルブの配線ラインを上記凹部内壁面側から外壁面側へ貫通させて配置し、収容された同ランプバルブからの光を内壁面にて反射させて所定方向に集めるランプリフレクタと、上記ランプリフレクタを密閉するとともに、同ランプリフレクタから投射される光源を光源投射窓から照射するランプケースと、上記ランプケースから投射される光源を基に映像を投射する光学系と、上記ランプケースに密閉されたランプリフレクタを冷却するための冷却風を送風するブロアとを筺体に収容するプロジェクタにおいて、
上記ランプケースは、板金で形成されて上記ランプリフレクタを収容するための凹部を有する形成をなし、上記凹部の開口部を下方として側部上方に同凹部に流入した冷却風を排出する第一の冷却風排気口を形成するランプリフレクタ収容部と、板金で形成された第一の面の両端から略垂直に立設する両側壁とで溝状の排気ラインを形成し、上記排気ラインの一端に、同排気ラインに流れる冷却風を上記第一の面と略垂直に排気するための略方形の中空断面で形成された第二の排気口を備える排気ライン形成部と、上記光源投射窓を所定厚みを有する略方形の着接面に略垂直に貫通させて形成するとともに、上記光源投射窓の近傍に上記ブロアからの冷却風を吸気するための樹脂製の第一の吸気口と、上記着接面から同着接面の側壁にかけて貫通する内部排気口とを貫通させて形成するとともに、同着接面の端部に上記ブロアからの冷却風を吸気する樹脂製の第二の吸気口とを貫通させて形成する吸気ライン形成部と、板金を屈曲させて形成した吸気金具とを有し、上記ランプリフレクタの開口部の下方に上記光源投射窓が配置されるよう上記ランプリフレクタの開口部の外周面と上記着接面とを着接して固定し、上記ランプリフレクタを上記ランプリフレクタ収容部の凹部に収容するよう固定する際、上記第一の吸気口から吸気された冷却風が上記ランプリフレクタの外壁面と上記ランプリフレクタ収容部の内壁面にて形成された空間にて上記ランプリフレクタの外壁面に沿うよう送風された後、上記第一の冷却風排気口から排出されるよう、上記着接面上の第二の吸気口と内部排気口とを上記ランプリフレクタの開口部内側に配置して固定し、上記吸気金具を、屈曲方向をランプリフレクタ側に向けて上記着接面上の第一の吸気口に固定し、上記着接面上の第一の吸気口を上記ランプリフレクタ収容部の開口部内に配置しつつ、上記着接面とランプリフレクタ収容部の開口部の外周面を着接して固定し、上記第二の吸気口から吸気されて上記ランプリフレクタの内壁面と上記着接面とで形成された空間から上記内部排気口にて上記着接面の側壁側に排出される冷却風が、上記ランプリフレクタ収容部の外壁面と上記排気ライン形成部の排気ラインの溝とで形成した空間に排気されるとともに、同排気された冷却風が、上記第一の冷却風排気口から排気される冷却風と交わって上記第二の冷却風排気口から排気されるよう、上記排気ラインの溝にて、上記着接面の側壁に形成される内部排気口と上記第一の冷却風排気口を密閉するよう固定し、上記ランプケースは、上記筺体の前部側方に上記光源投射窓を同筺体の幅方に向けて配置されるとともに、同筺体の側部下方に配置されるブロアから延設する樹脂製のダクトを上記第一の吸気口と第二の吸気口に接続する構成としている。
【００１２】
上記のように構成した請求項１にかかる発明においては、ランプリフレクタを収容するランプケースは、ランプリフレクタ収容部と、排気ライン形成部と、吸気ライン形成部とから構成されており、冷却風を送風するブロアと樹脂製のダクトを介して吸気ライン形成部に形成された第一の吸気口と第二の吸気口から冷却風をランプケース内に送風する。このとき、吸気ライン形成部の第一の吸気口から吸気された冷却風が、ランプリフレクタの外壁面とランプリフレクタ収容部の内壁面とで形成された空間を通って、第一の冷却風排気口から排出されるよう、ランプリフレクタ、ランプリフレクタ収容部、さらには吸気ライン形成部とを固定する。また、第二の吸気口から吸気された冷却風が、ランプリフレクタの内壁面と吸気ライン形成部にて密閉された空間を通って、内部排気口から排出されるとともに、内部輩出口から排出された冷却風は、第一の冷却風排気口から排出された冷却風と、ランプケース収容部の外壁面と排出ライン形成部の内壁面とで形成された空間にて交わるとともに、第二の冷却風排気口から排出されるよう、吸気ライン形成部、ランプリフレクタ収容部、さらには排気ライン形成部とを固定する。
【００１３】
このとき、吸気ライン形成部は、着接面に樹脂製の第一の吸気口と第二の吸気口とを固定して形成するとともに、第一の吸気口から吸気された冷却風がランプリフレクタの外壁面に効率良く当たるよう、所定部を屈曲させた吸気金具を第一の吸気口に固定する。
【００１４】
また、上記目的を達成するために、請求項２に記載の発明では、ランプケースにより密閉され、ランプバルブを内壁面側に収容するとともに、同ランプバルブからの光源を反射させて所定方向に投射するランプリフレクタと、同ランプリフレクタからの光源を基に映像を生成して投射する光学系と、上記ランプリフレクタを冷却するための送風手段を有するプロジェクタにおいて、上記ランプケースは、上記送風手段とダクトを用いて接続するとともに、上記ダクトを介して送風される冷却風をランプリフレクタの内壁面に送風する第一の送風路と、同ランプリフレクタの外壁面に送風する第二の送風路とを有する構成としてある。
【００１５】
上記のように構成した請求項２にかかる発明において、ランプリフレクタを収容するランプケースは、ブロアからの冷却風をダクトを介して第一の送風路と、第二の送風路に送風する。第一の送風路は、ランプリフレクタの内壁面側に冷却風を送風し、第二の送風路はランプリフレクタの外壁面側に冷却風を送風する。これにより、ランプリフレクタの内壁面側と外壁面側は、一つのブロアを用いて別々に冷却される。
【００１６】
そして、請求項３にかかる発明では、請求項２に記載のプロジェクタにおいて、上記ランプケースは、上記第一の送風路から送風されて上記ランプリフレクタの内壁面側を冷却した冷却風を、上記第二の送風路から送風されて上記ランプリフレクタの外壁面側を冷却した冷却風と合流して排気する構成としてある。
【００１７】
上記のように構成した請求項３にかかる発明において、ランプケースはランプリフレクタの内壁面側と外壁面側を冷却した冷却風を合流させることで、内壁面側を冷却した冷却風の温度を下げて外部に排出する。
【００１８】
さらに、請求項４にかかる発明では請求項２または請求項３のいずれかに記載のプロジェクタにおいて、上記ランプケースは、上記第一の送風路に送風される冷却風を上記ランプリフレクタの外壁面に沿うよう送風するガイド部材を有する構成としてある。
【００１９】
上記のように構成した請求項４にかかる発明において、第一の送風路に送風される冷却風は、ガイド部材によりランプリフレクタの外壁面に沿うよう送風されるので、冷却風の冷却効率を高める。
【００２０】
さらに、請求項５にかかる発明は、請求項２〜請求項４のいずれかに記載のプロジェクタにおいて、上記ランプケースは、冷却風を送風するための排気ラインを形成する排気ライン形成部と、上記ランプリフレクタを収容する凹部を有するとともに、同凹部に流入する冷却風を排出するための第一の排気口を有するランプケース収容部と、上記ランプリフレクタの開口部を密閉するよう同ランプリフレクタと固定するとともに、上記送風手段からの冷却風を吸気する第一の吸気口と、第二の吸気口とを有する吸気ライン形成部とを有し、上記吸気ライン形成部に固定されたランプリフレクタを上記ランプリフレクタ収容部に収容する際、上記第一の吸気口から吸入された冷却風が上記ランプリフレクタの外壁面とランプリフレクタ収容部の内壁面とで形成された空間を介して上記第一の冷却風排気口に排気される第一の送風ラインを形成し、上記ランプリフレクタ収容部と排気ライン形成部とを固定することで、上記第二の吸気口から吸気された冷却風が、上記ランプリフレクタの内壁面側に送風されるとともに、上記排気口を介して上排気ラインに排気され、同排気された冷却風は上記排気ライン形成部を介して排気される第二の送風ラインを形成する構成としてある。
【００２１】
上記のように構成した請求項５にかかる発明において、ランプケースは、ランプケース収容部と、排気ライン形成部と、吸気ライン形成部とを組み合わせることで、上記第一の送風ラインと第二の送風ラインとを形成する。
【００２２】
さらに、請求項６にかかる発明は、請求項５に記載のプロジェクタにおいて上記排気ライン形成部の上記第一の吸気口と第二の吸気口とは、絶縁物質にて形成されてる構成としてある。
【００２３】
上記のように構成した請求項６にかかる発明において、第一の吸気口と第二の吸気口は、ランプバルブの破損による電気を帯びたガラスの破片やフィラメントが接触してショートするのを防止する。 
【発明の効果】
【００２４】
以上説明したように本発明によれば、ランプケースにて密閉されたランプリフレクタの外壁面側と同ランプリフレクタの内壁面側に配置されるランプバルブを一つのブロアを用いて効率的に冷却することが可能なプロジェクタを提供することができる。
また請求項３にかかる発明によれば、ランプケースから冷却風を排気する際、排気温度を低減させることができる。
そして請求項４にかかる発明によれば、ランプリフレクタの外壁面を効率的に冷却することが可能となる。
さらに請求項５にかかる発明によれば、ランプケースを分割して形成するので、冷却風が流れる送風路を容易に形成することができる。
また請求項６にかかる発明によれば、ランプバルブの破損に際し、安全性に憂慮した構成とすることができる。
さらに請求項１のような、より具体的な構成において、上述した請求項２〜請求項４の各発明と同様の作用を奏することはいうまでもない。
【発明を実施するための最良の形態】
【００２５】
以下、下記の順序に従って本発明の実施形態であるプロジェクタを説明する。
（１）プロジェクタの構成
（２）ランプケースの構成
（３）まとめ
【００２６】
（１）プロジェクタの構成 
以下、図１、図２、図３、図４、および図５を参照して、この発明に係るプロジェクタを具体化した実施の形態について説明する。図１は本発明にかかるプロジェクタ１０のブロック構成図である。同図より、プロジェクタ１０は、箱型形状の筺体２２に、ランプバルブからの光源を利用して映像を投射する光学系１４と、光学系１４の制御を行うディジタル基板１１と、ディジタル基板１１に必要な電源を供給する電源基板１３と、パソコン等の外部機器からの映像信号と音声信号を入力するとともに、リモコン１０ａから送信される操作信号を受け入れる入出力基板１２とを収容する構成である。以下に各要素の説明と、プロジェクタ１０の機能を説明する。
【００２７】
入出力基板１２は、入出力端子１２ｂと、赤外線受光変換部１２ａとを実装するとともに、入出力端子１２ｂと赤外線受光変換部１２ａからの信号をディジタル基板１１に出力する。入出力端子１２ｂは、パソコン等の外部機器から映像信号と音声信号を受け取るための映像端子と音声端子とを有し、映像端子や音声端子を介して入力された映像信号と音声信号をディジタル基板１１に出力する。赤外線受光変換部１２ａは、リモコン１０ａを介して送信された赤外線の操作信号を受光するとともに、上記受光した赤外線信号を所定の電圧値を有する操作信号に変換して、ディジタル基板１１に出力する。上記した入出力端子１２ｂと赤外線受光変換部１２ａからの信号出力は、信号ラインを介してディジタル基板１１に出力される。
【００２８】
ディジタル基板１１は、片面に、マイコン１１ａ、記録部１１ｂ、映像信号処理部１１ｄ、ＯＳＤ（オンスクリーンディスプレイ）回路１１ｃを構成するＩＣ素子等を実装している。上記ディジタル基板１１内のマイコン１１ａ、記録部１１ｂ、映像信号処理部１１ｄ、ＯＳＤ回路１１ｃはバスにて接続されており、マイコン１１ａは赤外線受光変換部１２ａからの操作信号を受け入れ、記録部１１ｂに記録された所定のプログラムに基づいて、映像信号処理部１１ｄ、およびＯＳＤ回路１１ｃに所定の指示を出すとともに、回路全体を制御する。
【００２９】
映像信号処理部１１ｄは、信号ラインを介して入出力端子１２ｂから入力される映像信号を赤Ｒ、緑Ｇ、および青Ｂの３原色のＲＧＢ信号に分解した後、マイコン１１ａからの制御信号に基づいてＲＧＢ信号の色レベル等の補正を行い、上記補正を行ったＲＧＢの信号を光学系１４へと出力する。また、ＯＳＤ回路１１ｃは、映像信号処理部１１ｄに接続され、スクリーンにＯＳＤ表示する画像を表すＯＳＤ信号を生成し映像信号に重畳する。ディジタル基板１１は、マイコン１１ａの制御により、赤外線受光変換部１２ａからの操作信号を受け付け、受け付けた操作信号に対応したＯＳＤ信号を生成する。
【００３０】
電源基板１３は、コンセント１３ａを介して供給される外部電源（例えば１００Ｖ商用電源）をサイリスタにて構成される整流回路にて整流した後、プロジェクタ１０を動作するために必要な交流電源を再度生成してディジタル基板１１、および光学系１４に供給する。
【００３１】
光学系１４は、上記映像信号処理部１１ｄにて生成された映像信号を基にマイコン１１ａの制御によってＲＧＢの光を生成し、上記生成した光を投射レンズを介してスクリーン等に出射する。図２は、本発明の光学系１４の配置図である。同図より、光学系１４は、ランプケース１５と、カラーホイル１４ｂとライトパイプ１４ｃとイルミネーションレンズ１４ｄとミラー１４ｅとＤＭＤ１４ｆと投射レンズ１４ｇとから構成している。以下便宜上、筺体２２の投射レンズ１４ｇが配置される一面を前面とし、同前面に対して前後を前後方向とし、左右方向を幅方向として説明していく。
【００３２】
同図より、ランプケース１５は光学系１４を筺体２２に収容する際、筺体２２の前方側の側方に配置され、白色光を生成する。ランプケース１５は、白色光を発生させるランプバルブ１５ａと、ランプバルブ１５ａから後方に出射した光を反射させる放物面形状のランプリフレクタ１５ｂとを密閉する。ランプリフレクタ１５ｂは、ランプバルブ１５ａを収容する略円形の開口部であるランプバルブ収容用開口部１５ｂ１を有する椀形状であり、ランプバルブ１５ａをランプバルブ収容用開口部１５ｂ１から内壁面にて形成された凹部に収容するとともに、ランプバルブ１５ａの配線ライン１５ａ１を上記凹部内壁面側から外壁面側へ貫通させて配置する。また、ランプリフレクタ１５ｂは、ランプバルブ１５ａにて生成した光を、カラーホイル１４ｂに向けて出射させるようになっている。ランプバルブ１５ａとしては、例えば、ハロゲンランプ、メタルハライドランプ、高圧水銀ランプ、キセノンランプ等を用いることが可能である。また、ランプリフレクタ１５ｂとしては、例えば、放物面鏡や、楕円面鏡等を用いることが可能である。
【００３３】
カラーホイル１４ｂは、略円盤形状を有しており、筺体２２の幅方向と略並行に配置され、ＲＧＢの３色のカラ−フィルタが等間隔に配置されている。カラーホイル１４ｂは、所定の角度範囲ごとに異なる分光用フィルタを構成する円盤状のカラーフィルタを、所定速度で回転させるとともに、ランプバルブから出射した白色光が上記分光フィルタを通過することで、Ｒ、Ｇ、Ｂの光に順次分離される。ライトパイプ１４ｃは、断面視略矩形状の柱状体であり、筺体２２の幅方向に配向しつつ、カラーホイル１４ｂを通過した光を略平行な光に変換して、後述するミラー１４ｅへ案内する。
【００３４】
ミラー１４ｅは、筺体２２の前方側であってランプバルブとは反対の側方に配置され、ライトパイプ１４ｃから射出される平行光を後方側上方であって幅方向には反対側に反射させる。また、イルミネ−ションレンズ１４ｄ１は、ライトパイプ１４ｃからの光をミラー１４ｅに集光させるためのものであり、イルミネーションレンズ１４ｄ２は、ミラー１４ｅにより反射した光をＤＭＤ１４ｆに集光させるためのものである。
【００３５】
ＤＭＤ１４ｆは、ミラー１４ｅにて反射された平行光が照射される位置に配置され、ＲＧＢの各光を画素毎に変調する変調素子としてのマイクロミラーを複数備えている。マイクロミラーは所定の配列で配置しているとともに、映像信号処理部１１ｄから出力されるＲＧＢ信号に基づいて個別に駆動制御され、反射面の角度を所定角度（例えば、１２度）傾斜させることが可能となっている。ＤＭＤ１４ｆはＲＧＢ信号に基づいて上記各マイクロミラーを時分割駆動させることでミラー１４ｅにて反射された光の輝度を変化させる。これによりＤＭＤ１４ｆは所定の映像を形成しつつ、投射レンズ１４ｇに向けて反射させる。 
【００３６】
投射レンズ１４ｇは、筺体２２の前方に向けた光軸を有しＤＭＤ１４ｆによって変調された画像光をスクリ−ンに拡大投影するためのものである。投射レンズ１４ｇは、ＲＧＢの各色光の色収差等に起因する投影画像の不鮮明を防止する目的で、複数の集光素子を光軸方向に沿って配置した組レンズとして構成されている。
【００３７】
図中、２点鎖線の矢印は、光の進行方向を示している。ランプバルブ１５ａから出射した白色光は、カラーホイル１４ｂによりＲＧＢの各色光に分離され、同分離された光はライトパイプ１４ｃにより集められ、ミラー１４ｅに案内される。ライトパイプ１４ｃから出射した光は、ライトパイプ１４ｃとミラー１４ｅとの間に介在するイルミネ−ションレンズ１４ｄ１により集光されてミラー１４ｅに入射し、ミラー１４ｅにより反射される。ミラー１４ｅにより反射された光は、イルミネーションレンズ１４ｄ２により集光されてＤＭＤ１４ｆに入射する。そして、ＤＭＤ１４ｆにより変調された画像光は、投射レンズ１４ｇによりスクリ−ンに拡大投影される。
【００３８】
図３はランプケース１５とブロア２０の配置を表す斜視図である。同図より、ランプケース１５は、筺体２２の前部側方に配置されるとともに、着接面１８ａを幅方向右側に向け配置している。ブロア２０は、筺体２２の幅方向右側下部に配置され、ブロア２０の上部には通常、図示しない投射レンズ１４ｇが筺体２２の前面から映像を投射するよう配置される。ブロア２０とランプケース１５は樹脂製のダクト２１を介して接続されており、ブロア２０からの冷却風をダクト２１を介してランプケース１５に送風する構造である。これによりランプケース１５内に密閉して収容されるランプリフレクタ１５ｂ、並びにランプバルブ１５ａを冷却風にて冷却する。本発明の一実施形態である送風装置は、ブロアに限定されず、ＡＣファンやＤＣファンを用いてもよい。
【００３９】
以下に具体的なランプケース１５の構造を説明する。図４は、ランプケース１５の分解図である。同図より、ランプケース１５は、ランプリフレクタ収容部１６と、排気ライン形成部１７と、吸気ライン形成部１８とからから構成されている。ランプリフレクタ収容部１６は、厚みの薄い板金により形成された本体部１６ａと、ランプリフレクタ１５ｂを収容するためのランプリフレクタ収容用開口部１６ｃと、ランプリフレクタ収容部１６の内壁面側に流入した冷却風を排出するための第一の冷却風排気口１６ｂ、とを有する形状である。ランプリフレクタ収容部１６の形状としては、ランプリフレクタ１５ｂを収容できる大きさであるとともに、本体部１６ａの下面にランプリフレクタ収容用開口部１６ｃを形成し、同本体部１６ａの側部上方に第一の冷却風排気口１６ｂを形成することが望ましい。
【００４０】
排気ライン形成部１７は、厚みの薄い板金で形成され、上方部に第二の冷却風排気口１７ｄを有する形状である。排気ライン形成部１７の形状としては、厚みの薄い板金で形成された第一の面１７ａの両端から略垂直に立設する両側壁１７ｂ，１７ｃとでコの字断面を形成する溝状の排気ラインを形成する。さらに、排気ラインの一端に、同排気ラインに流れる冷却風を第一の面１７ａと略垂直に排気するための略方形の中空断面で形成された第二の冷却風排気口１７ｄを備える構成である。第二の冷却風排気口１７ｄの下面は、第一の面１７ａ、および両側壁１７ｂ，１７ｃにて形成された排気ラインの内壁面側と繋がる開口部を有している。これにより、後述する排気ラインの内側を流れる冷却風が第二の冷却風排気口１７ｄを介してランプケース１５より排気される。
【００４１】
吸気ライン形成部１８は、ダクト２１を介して接続するブロア２０からの冷却風をランプリフレクタ１５ｂの内壁面側に送風するための第二の吸気口１８ｅと、ランプリフレクタ１５ｂの外壁面側に送風するための第一の吸気口１８ｃと、第二の吸気口から流入した冷却風を排出するための内部排気口１８ｄとを有する構成である。吸気ライン形成部１８の形状としては、ランプリフレクタのランプバルブ収容用開口部１５ｂ１の外周面と着接する着接面１８ａから略垂直に延設した部位を有する形状である。上記部位には、着接面１８ａと略垂直に貫通してランプリフレクタ１５ｂからの光源を透過する光源投射窓１８ｂを有する。また、光源投射窓１８ｂの近傍にはブロア２０からの冷却風を吸気するための樹脂製の第一の吸気口１８ｃと、着接面１８ａから側壁にかけて貫通する内部排気口１８ｄとを貫通させて形成するとともに、着接面１８ａの端部にブロア２０からの冷却風を吸気する樹脂製の第二の吸気口１８ｅとを貫通させて形成している。
【００４２】
ランプリフレクタ１５ｂのランプリフレクタ収容用開口部１６ｃの外周面と着接面１８ａとを着接した状態で、第一の吸気口１８ｃは、ランプリフレクタ１５ｂのランプリフレクタ収容用開口部１６ｃの外周面と着接する部位より外側に配置される。また、第二の吸気口１８ｅは、ランプリフレクタ収容用開口部１６ｃの外周面と着接する位置の内側に形成される。さらに、内部排気口１８ｄは、着接面１８ａから着接面８ａの側壁まで続く穴を形成している。
【００４３】
また、吸気ライン形成部１８の第一の吸気口１８ｃと第二の吸気口１８ｅの周辺は、着接面１８ａと別体の樹脂製の絶縁物にて形成されている。これは、ランプバルブ１５ａが衝撃等で破損した際、電気を帯びたガラス片、およびフィラメントが第一の吸気口１８ｃ、並びに第二の吸気口１８ｅに接することでランプバルブ１５ａの電源が同通してショートを起こすのを防ぐためのものである。別体で形成した第一の吸気口１８ｅと第二の吸気口１８ｃの形状としては、着接面１８ａの一端を大きく開口するとともに、樹脂で形成した第一の吸気口１８ｃと第二の吸気口１８ｅをはめ込むことにより形成することができる。
【００４４】
ランプケース１５の組み立て方法を以下に説明する。まず、光源投射窓１８ｂと第二の吸気口１８ｅとがランプリフレクタ１５ｂのランプバルブ収容用開口部１５ｂ１の内側に配置されるとともに、第一の吸気口１８ｃがランプバルブ収容用開口部１５ｂ１の外側に配置されるよう、ランプリフレクタ１５ｂのランプバルブ収容用開口部１５ｂ１と着接面１８ａを着接させて固定する。次に、吸気ライン形成部１８に固定されたランプリフレクタ１５ｂをランプリフレクタ収容部１６の凹部に収容し、ランプリフレクタ収容部１６と吸気ライン形成部１８を固定する。このとき、第一の吸気口１８ｃから吸気された冷却風がランプリフレクタ１５ｂの外壁面と、ランプリフレクタ収容部１６の内壁面にて形成された空間を通って、上記第一の冷却風排気口１６ｂから排出されるよう、着接面１８ａ上の第一の吸気口１８ｃを上記ランプリフレクタ収容部１６のランプリフレクタ収容用開口部１６ｃ内に配置させる。さらに、第一の吸気口１８ｃから送風される冷却風が、吸気金具１９に沿ってランプリフレクタ１５ｂ外壁面に送風されるよう、吸気金具１９を、屈曲方向をランプリフレクタ側に向けて着接面１８ａ上の第一の吸気口１８ｃに固定する。
【００４５】
また、このとき、吸気ライン形成部１８の第二の吸気口１８ｅと金属製の吸気金具１９の開口部を接続する。吸気金具１９は、第二の吸気口１８ｅから送風される冷却風の進路を変化させ、同冷却風をランプリフレクタ１５ｂの外壁面に沿うよう送風させるものである。本発明の一実施形態である吸気金具１９の形状としては、厚みの薄い板金を所定長で、屈曲させて形成している。上記構成の吸気金具１９を第二の吸気口１８ｅの開口部に、屈曲方向をランプリフレクタ１５ｂに向けるよう固定することで、第二の吸気口１８ｅから送風された冷却風は吸気金具１９に沿うよう送風することで、冷却風をランプリフレクタ１５ｂの外壁面に直接送風する。本発明の一実施形態である吸気金具１９は、第二の吸気口１８ｅから送風される冷却風の方向をランプリフレクタ１５ｂの向けるものであればよく、上記した形状にこだわらず、パイプ形状の所定長を折り曲げて形成してもよいし、ランプリフレクタ収容部１６に直接、冷却風の進路を変化させるための壁を設けてもよい。
【００４６】
最後に、ランプリフレクタ収容部１６と、吸気ライン形成部１８と、排気ライン形成部１７とを、排気ライン形成部１７の第一の面１７ａ、および両側壁１７ｂ，１７ｃにて形成される排気ラインにて、着接面１８ａの側壁に形成される内部排気口１８ｄと第一の冷却風排気口１６ｂを密閉するよう固定する。これにより、第二の吸気口１８ｅから吸気されてランプリフレクタ１５ｂの内壁面と着接面１８ａとで形成された空間から内部排気口１８ｄを介して吸気ライン形成部１８の側壁から排出される冷却風が、ランプリフレクタ収容部１６の外壁面と排気ライン形成部１７の内壁面にて形成された排気ラインに排気される。上記固定方法はネジ止めでも、接着剤を用いた接着でもよい。
【００４７】
上記方法で組み立てられれたランプケース１５により、吸気ライン形成部１８の第一の吸気口１８ｃ、およびランプリフレクタ１５ｂの外壁面とランプリフレクタ収容部１６の内壁面とで形成された空間が繋がることで第一の送風路が形成される。また、吸気ライン形成部１８の第二の吸気口１８ｅ、ランプリフレクタ１５ｂの内壁面、内部排気口１８ｄ、さらにはランプリフレクタ収容部１６の外壁面と排気ライン形成部１７の内壁面にて形成された空間とが繋がることで第二の送風路が形成される。これにより、簡易な構造の、吸気ライン形成部１８、ランプリフレクタ収容部１６、排気ライン形成部１７の三部品を組み立てることにより、内部に複雑な冷却風の通り道を形成することが可能となる
【００４８】
図５は、ランプケース１５内の冷却風の流れを示す図である。図中太線の矢印はランプリフレクタ１５ｂ内壁面を冷却する冷却風の流れを表し、細線の矢印はランプリフレクタ１５ｂ外壁面を冷却する冷却風の流れを表す。同図より、ダクト２１を介してブロア２０から送風された冷却風は第一の吸気口１８ｃと第二の吸気口１８ｅにてランプケース１５に吸気される。第一の吸気口１８ｃから送風された冷却風はランプリフレクタ１５ｂの外壁面側に送風され、ランプリフレクタ１５ｂの外壁面を冷却する。このとき、第一の吸気口１８ｃに固定された吸気金具１９は、第一の吸気口１８ｃから吸入される冷却風をランプリフレクタ１５ｂの外壁面に直接送風する。このため、ランプリフレクタ１５ｂの外壁面は効率よく冷却される。ランプリフレクタ１５ｂの外壁面を冷却した冷却風は、ランプリフレクタ収容部１６の上部に位置する第一の冷却風排気口１６ｂより排出される。
【００４９】
第二の吸気口１８ｅから送風された冷却風はランプリフレクタ１５ｂの内壁面側に送風され、ランプバルブ１５ａを冷却する。その後、ランプリフレクタ１５ｂ内の冷却風は吸気ライン形成部１８の内部排気口１８ｄより排気ライン形成部１７の内壁面とランプリフレクタ収容部１６の外壁面にて形成される空間を介して、排気ライン形成部１７の第二の冷却風排気口１７ｄより排気される。このとき、ランプリフレクタ収容部１６の第一の冷却風排気口１６ｂより排出される冷却風は、同ランプリフレクタ収容部１６の外壁面と排気ライン形成部１７の内壁面にて形成された第二の送風路に流れでる。このため、ランプリフレクタ１５ｂの内壁面側にてランプバルブ１５ａを冷却した高温の冷却風と、ランプバルブ１５ａの外壁面を冷却した冷却風とが交わり、ランプバルブ１５ａを冷却した冷却風の温度を下げる。このため、第二の冷却風排気口１７ｄから排出される排気温度を下げることが可能となる。
【００５０】
（３）まとめ
以上説明したように、ブロアからの冷却風を第一の吸気口１８ｃと第二の吸気口１８ｅに分けて流入するとともに、第一の吸気口１８ｃ、ランプリフレクタ１５ｂの外壁面とランプリフレクタ収容部１６の内壁面とで形成された空間、さらには、第一の冷却風排気口１６ｂにて形成された第一の送風路と、第二の吸気口１８ｅ、ランプリフレクタ１５ｂの内壁面、内部排気口１８ｄ、さらには第二の冷却風排気口１７ｄを連結させることにより形成される第二の送風路とを有することで、ランプリフレクタ１５ｂの内壁面、および外壁面を効果的に冷却することが可能となる。
【００５１】
また、上記目的を達成するために、請求項２に記載の発明では、ランプケースにより密閉され、ランプバルブを内壁面側に収容するとともに、同ランプバルブからの光源を反射させて所定方向に投射するランプリフレクタと、同ランプリフレクタからの光源を基に映像を生成して投射する光学系と、上記ランプリフレクタを冷却するための送風手段を有するプロジェクタにおいて、上記ランプケースは、上記送風手段とダクトを用いて接続するとともに、上記ダクトを介して送風される冷却風をランプリフレクタの内壁面に送風する第一の送風路と、同ランプリフレクタの外壁面に送風する第二の送風路とを有する構成としてある。
【００５２】
上記のように構成した請求項２にかかる発明において、ランプリフレクタを収容するランプケースは、ブロアからの冷却風をダクトを介して第一の送風路と、第二の送風路に送風する。第一の送風路は、ランプリフレクタの内壁面側に冷却風を送風し、第二の送風路はランプリフレクタの外壁面側に冷却風を送風する。これにより、ランプリフレクタの内壁面側と外壁面側は、一つのブロアを用いて別々に冷却されるので、ランプケースにて密閉されたランプリフレクタの外壁面側と同ランプリフレクタの内壁面側に配置されるランプバルブを一つのブロアを用いて効率的に冷却することが可能なプロジェクタを提供することができる。
【００５３】
そして、請求項３にかかる発明では、請求項２に記載のプロジェクタにおいて、上記ランプケースは、上記第一の送風路から送風されて上記ランプリフレクタの内壁面側を冷却した冷却風を、上記第二の送風路から送風されて上記ランプリフレクタの外壁面側を冷却した冷却風と合流して排気する構成としてある。
【００５４】
上記のように構成した請求項３にかかる発明において、ランプケースはランプリフレクタの内壁面側と外壁面側を冷却した冷却風を合流させることで、内壁面側を冷却した冷却風の温度を下げて外部に排出するので、排気温度を低減させることができる。
【００５５】
さらに、請求項４にかかる発明では請求項２または請求項３のいずれかに記載のプロジェクタにおいて、上記ランプケースは、上記第一の送風路に送風される冷却風を上記ランプリフレクタの外壁面に沿うよう送風するガイド部材を有する構成としてある。
【００５６】
上記のように構成した請求項４にかかる発明において、第一の送風路に送風される冷却風は、ガイド部材によりランプリフレクタの外壁面に沿うよう送風されるので、冷却風の冷却効率を高めるので、ランプリフレクタの外壁面を効率的に冷却することが可能となる。
【００５７】
さらに、請求項５にかかる発明は、請求項２〜請求項４のいずれかに記載のプロジェクタにおいて、上記ランプケースは、冷却風を送風するための排気ラインを形成する排気ライン形成部と、上記ランプリフレクタを収容する凹部を有するとともに、同凹部に流入する冷却風を排出するための第一の排気口を有するランプケース収容部と、上記ランプリフレクタの開口部を密閉するよう同ランプリフレクタと固定するとともに、上記送風手段からの冷却風を吸気する第一の吸気口と、第二の吸気口とを有する吸気ライン形成部とを有し、上記吸気ライン形成部に固定されたランプリフレクタを上記ランプリフレクタ収容部に収容する際、上記第一の吸気口から吸入された冷却風が上記ランプリフレクタの外壁面とランプリフレクタ収容部の内壁面とで形成された空間を介して上記第一の冷却風排気口に排気される第一の送風ラインを形成し、上記ランプリフレクタ収容部と排気ライン形成部とを固定することで、上記第二の吸気口から吸気された冷却風が、上記ランプリフレクタの内壁面側に送風されるとともに、上記排気口を介して上排気ラインに排気され、同排気された冷却風は上記排気ライン形成部を介して排気される第二の送風ラインを形成する構成としてある。
【００５８】
上記のように構成した請求項５にかかる発明において、ランプケースは、ランプケース収容部と、排気ライン形成部と、吸気ライン形成部とを組み合わせることで、上記第一の送風ラインと第二の送風ラインとを形成するので、ランプケースを分割して形成するので、冷却風が流れる送風路を容易に形成することができる。
【００５９】
さらに、請求項６にかかる発明は、請求項５に記載のプロジェクタにおいて上記排気ライン形成部の上記第一の吸気口と第二の吸気口とは、絶縁物質にて形成されてる構成としてある。
【００６０】
上記のように構成した請求項６にかかる発明において、第一の吸気口と第二の吸気口は、ランプバルブの破損による電気を帯びたガラスの破片やフィラメントが接触してショートするのを防止するので、ランプバルブの破損に際し、安全性に憂慮した構成とすることができる。
【００６１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６２】
【図１】プロジェクタのブロック構成図である。
【図２】光学系の配置図である。
【図３】筺体に配置されるランプケース、ならびにブロアの配置を示す図である。
【図４】ランプケースの分解図である。
【図５】ランプケースの側面図、下面図、断面図、並びに冷却風の流れを示す図である。
【図６】従来のランプケースの図である。
【符号の説明】
【００６３】
１０…プロジェクタ、  １０ａ…リモコン、  １１…ディジタル基板、  １１ａ…マイコン、  １１ｂ…記録部、  １１ｃ…ＯＳＤ回路、  １１ｄ…映像信号処理部、  １２…入出力基板、  １２ａ…赤外線受光変換部、  １２ｂ…入出力端子  １３…電源基板、  １３ａ…コンセント、  １４…光学系、  １５ａ…ランプバルブ、１５ａ１…配線ライン、  １５ｂ…ランプリフレクタ、１５ｂ１…ランプバルブ収容用開口部  １４ｂ…カラーホイル、  １４ｃ…ライトパイプ、  １４ｄ１、１４ｄ２…イルミネーションレンズ、  １４ｅ…ミラー、  １４ｆ…ＤＭＤ、  １４ｇ…投射レンズ、  １５…ランプケース、  １６…ランプリフレクタ収容部、  １６ａ…本体部、  １６ｂ…第一の冷却風排気口  、１６ｃ…ランプリフレクタ収容用開口部、  １７…排気ライン形成部  １７ａ…第一の面、  １７ｂ、１７ｃ…側壁、  １７ｄ…第二の冷却風排気口、  １８…吸気ライン形成部、  １８ａ…着接面、  １８ｂ…光源投射窓、  １８ｃ…第一の吸気口、  １８ｄ…内部排気口、  １８ｅ…第二の吸気口、  １９…吸気金具、  ２０…ブロア、  ２１…ダクト、  ２２…筺体
【図１】
2007256459.tif 000003
【図２】
2007256459.tif 000004
【図３】
2007256459.tif 000005
【図４】
2007256459.tif 000006
【図５】
2007256459.tif 000007
【図６】
2007256459.tif 000008